(57)【要約】【課題】          組立てた紙箱内に商品収納時にあっては、紙箱内を密封状に保って塵埃などの侵入を防いだ衛生的な商品の収納保持を簡単な構造のもので容易に可能とさせると共に、商品取出し時には容易に蓋板を開放して迅速に商品を取出しを可能とさせる。【解決手段】      紙箱の外側面に切り目で形成する蓋板開放用の開封片を設けると共に、切り目より外側の紙箱外側面に指先の挿入する挿入孔を設け、紙箱を構成する箱形成部材で紙箱の組立時に挿入孔を閉塞させて、紙箱内を密閉状に保つ。【選択図】        図３
2005096856.tif 000002
【特許請求の範囲】
【請求項１】
紙箱の外側面に切り目で形成する蓋板開放用の開封片を設けると共に、切り目より外側の紙箱外側面に指先の挿入する挿入孔を設け、紙箱を構成する箱形成部材で紙箱の組立時に挿入孔を閉塞させたことを特徴とする包装用紙箱。
【請求項２】
蓋板に連設させる差込み片で紙箱の組立時に挿入孔を閉塞させたことを特徴とする請求項１記載の包装用紙箱。
【請求項３】
紙箱の外側面を固着させる貼付片で紙箱の組立時に挿入孔を閉塞させた事を特徴とする請求項１記載の包装用紙箱。
【請求項４】
開封片を有する側面の折返し片で紙箱の組立時に挿入孔を閉塞させたことを特徴とする請求項１記載の包装用紙箱。
【請求項５】
切り目より内側の開封片に指先の挿入する挿入孔を設けたことを特徴とする請求項１乃至４の何れかに記載の包装用紙箱。
【発明の詳細な説明】
【技術分野】
【０００１】
本発明は薬品或いは化粧品などの商品を収納する包装用紙箱に関する。
【背景技術】
【０００２】
従来、薬品等を収納する紙箱に切り込み線で形成する開封用紙片を設けて、蓋板開放時には、親指などの圧迫によって切り込み線より紙片を切り離して蓋部を開放するものがある。（例えば特許文献１）
【０００３】
また、切り込み線より摘持片を切り離す構成の紙箱にあっては、予め指掛孔を突設して、物品の取出しの際には指掛孔より摘持片の先端を摘持して摘持片を容易に切り離し可能とさせるものがある。（例えば特許文献２）
【特許文献１】実公平５−１６０９８号公報
【特許文献２】実公昭５５−３８８２７号公報
【発明の開示】
【発明が解決しようとする課題】
【０００４】
しかし乍ら、特許文献１に示す如き紙箱にあっては、切り離し用紙片は箱の内側に親指などの力を加えて切り離す構造のため、紙片の近傍まで商品が収納させた状態では、商品が障害となって紙片の容易な切り離しが行えないという不都合があり、また特許文献２に示す如き指掛孔を有する紙箱構造のものにあっては、衛生管理を必要とする薬品及び化粧品などの収納には不適であった。
【課題を解決するための手段】
【０００５】
本発明は、紙箱の外側面に切り目で形成する蓋板開放用の開封片を設けると共に、切り目より外側の紙箱外側面に指先の挿入する挿入孔を設け、紙箱を構成する箱形成部材で紙箱の組立時に挿入孔を閉塞させたものである。
【０００６】
また、蓋板に連設させる差込み片で紙箱の組立時に挿入孔を閉塞させたものである。
【０００７】
さらに、紙箱の外側面を固着させる貼付片で紙箱の組立時に挿入孔を閉塞させたものである。
【０００８】
また、開封片を有する側面の折返し片で紙箱の組立時に挿入孔を閉塞させたものである。
【０００９】
さらに、切り目より内側の開封片に指先の挿入する挿入孔を設けたものである。
【発明の効果】
【００１０】
したがって本発明は、紙箱の外側面に切り目で形成する蓋板開放用の開封片を設けると共に、切り目より外側の紙箱外側面に指先の挿入する挿入孔を設け、紙箱を構成する箱形成部材で紙箱の組立時に挿入孔を閉塞させたことによって、組立てた紙箱内に商品収納時にあっては、各種箱形成部材の何れか一つを利用し挿入孔を塞いで、紙箱内を密封状に保って塵埃などの侵入を防いだ衛生的な商品の収納保持を簡単な構造のもので容易に可能とさせると共に、商品取出し時には挿入孔に指先を挿入させ開封片を切り目より切り離し蓋板を開放させるだけの簡単な操作で商品の迅速な取出しを可能とさせて、商品の保管と取出しの両面での向上化を図るものである。
【００１１】
また、蓋板に連設させる差込み片で紙箱の組立時に挿入孔を閉塞させたことによって、別途部材を用いることなく蓋板の差込み片の利用によって挿入孔を塞いで、衛生良好な商品の紙箱収納と商品の容易な取出しを可能とさせるものである。
【００１２】
さらに、紙箱の外側面を固着させる貼付片で紙箱の組立時に挿入孔を閉塞させたことによって、別途部材を用いることなく外側面の貼付片の利用によって挿入孔を塞いで、衛生良好な商品の紙箱収納と商品の容易な取出しを可能とさせるものである。
【００１３】
また、開封片を有する側面の折返し片で紙箱の組立時に挿入孔を閉塞させたことによって、別途部材を用いることなく側面の折返し片の利用によって挿入孔を塞いで、衛生良好な商品の紙箱収納と商品の容易な取出しを可能とさせるものである。
【００１４】
さらに、切り目より内側の開封片に指先の挿入する挿入孔を設けたことによって、開封片を切り離した後の紙箱の切り離し穴の開口面積もできるだけ小さな簡潔形状とさせて、開封片切り離し後の紙箱の美感を良好とさせ紙箱内に塵埃など侵入するのを最小に防いだ商品の良好な保管を行うと共に、紙箱から商品を容易且つ迅速に取出可能とさせて、商品の保管及び取出しの両面での向上を図るものである。
【発明を実施するための最良の形態】
【００１５】
以下、本発明の実施例を図面に基づいて詳述する。
【実施例１】
【００１６】
図１は本発明に係る紙箱の斜視図、図２は紙箱の展開説明図であり、１枚の台紙１より縦長の４角立方体紙箱２を組立て、薬品或いは化粧品などの容器３を紙箱２内に収納させる。
【００１７】
図２に示す如く台紙１は、紙箱２の４面を形成する前後及び左右の長方形外側面４・５及び６・７を有し、後外側面５の右左側縁に各折り目８・９を介し左右外側面６・７を連設させ、右外側面７の左側縁に折り目１０を介し前外側面４を連設させ、前外側面４の左側縁に折り目１１を介し貼付片１２を連設させて、該貼付片１２の外面を左外側面６の内面に貼着して４角筒状の４面を形成させている。
【００１８】
また、後側面５の上下側縁に各折り目１３・１４を介し蓋板１５及び底板１６を連設させ、蓋板１５及び底板１６の上側縁及び下側縁に各折り目１７及び１８を介し差込み片１９及び２０を連設させると共に、左右外側面６・７の上下側縁に各折り目２１・２２及び２３・２４を介し上下フラップ２５・２６及び２７・２８を連設させ、上フラップ２５・２７及び２６・２８より上及び下側で蓋板１５及び底板１６を略９０度内方に折畳み、差込み片１９及び２０を前外側面４と上下フラップ２５・２７及び２６・２８の前側縁２５ａ・２７ａ及び２６ａ・２８ａ間に差込んで、各折り目１７及び１８両端の切り口１７ａ・１７ａ及び１８ａ・１８ａを前側縁２５ａ・２７ａ及び２６ａ・２８ａの突起係合部２５ｂ・２７ｂ及び２６ｂ・２８ｂに係合させて、蓋板１５及び底板１６の閉保持を図るように構成している。
【００１９】
図３、図４（１）にも示す如く、前外側面４の上側縁に直線部２９ａと傾斜部２９ｂを有する半切線状の切り目２９で逆台形状開封片３０を形成させ、開封片３０の左下角部に折り目３１を介して摘片部３２を形成させると共に、摘片部３２の切り目２９より外側に指先の挿入する正４角形状の挿入孔３３を開設して紙箱２の組立時にあっては前外側面４内側に差込む差込み片１９で挿入孔３３を塞いで、蓋板１５と開封片３０及び底板１６と前外側面４とを接着テープ３４によって固着させて、紙箱２内に容器３を略密封収納させる。
【００２０】
また、紙箱２内より容器３の取出し時にあっては、図３（２）に示す如く、前記挿入孔３３に指先を挿入し摘片部３２を折り目３１より起立させて、摘片部３２を摘まみ上げることによって摘片部３２を前外側面４より切り離し、図３（３）に示す如く切り離し後に前外側面４に形成される摘片部３２の切り離し穴３２ａより指先で差込み片１９を引上げることによって、摘片部３２と一体に蓋板１５を開放状態とさせて容器３の容易な取出しを可能とさせる。
【００２１】
さらに前記挿入孔３３は、図４（２）に示す如く、前記開封片３０の左右下角部に各折り目３１を介し左右摘片部３２を形成させると共に、左右摘片部３２の切り目２９より外側に左右２つの正４角形状の挿入孔３３をそれぞれ開設する構成でも良く、また図４（３）に示す如く挿入孔３３を略丸形の挿入孔３３ａや、図５（１）に示す如く変形４角形状の挿入孔３３ｂに形成しても同様の作用効果を得る。
【００２２】
図５（２）に示す如く、前外側面４の開封片３０を形成する切り目２９内側に一定間隔をあけて内側の切り目２９ｃを形成させ、これら２つの切り目２９・２９ｃで囲まれる略凹形状の引剥片３５を開封片３０外側に形成させ、切り目２９より外側に正４角形状の挿入孔３３を形成させて、引剥片３５を引剥すことによって開封片３０を前外側面４より切り離す構成や、図５（３）に示す如く開封片３０の下縁側に上下切り目２９ａ・２９で囲まれる長尺状の引剥片３６を形成させ、引剥片３６を引剥した後に開封片３０を前外側面４より切り離す構成でも良い。
【００２３】
上記からも明らかなように、紙箱２の外側面４に切り目２９で形成する蓋板１５開放用の開封片３０を設けると共に、切り目２９より外側の紙箱外側面４に指先の挿入する挿入孔３３を設け、紙箱２を構成する箱形成部材１９で紙箱２の組立時に挿入孔３３を閉塞させたもので、組立てた紙箱２内に商品である容器３収納時にあっては、各種箱形成部材のうちの差込み片１９などの何れか一つを利用し挿入孔３３を塞いで、紙箱２内を密封状に保って塵埃などの侵入を防いだ衛生的な容器３の収納保持を簡単な構造のもので容易に可能とさせると共に、容器３取出し時には挿入孔３３に指先を挿入させ開封片３０を切り目２９より切り離し蓋板１５を開放させるだけの簡単な操作で商品の迅速な取出しを可能とさせて、商品の保管と取出しの両面での向上化を図ることができる。
【００２４】
つまり、容器３取出し時には開封片３０に紙箱２内側方向の力を加えるのではなく開封片３０の角となる摘片部３２に指先を引っかけて外面外側に引き上げて開封片３０を開封するもので、紙箱２内一杯に容器３が収納された状態においても容器３の影響を受けることのない容易な開封片３０の開封を行って、蓋板１５の簡単な開放を可能とさせることができる。
【００２５】
そして、蓋板１５に連設させる差込み片１９で紙箱２の組立時に挿入孔３３を閉塞させたことによって、別途挿入孔３３を閉塞させるための部材を用いることなく蓋板１５の差込み片１９の利用によって挿入孔３３を塞いで、衛生良好な容器３の紙箱収納と容器３の容易な取出しを可能とさせることができる。
【実施例２】
【００２６】
図６乃至図８に示すものは、左外側面６に連設させる貼付片１２によって紙箱２の組立時に挿入孔３３を閉塞する構成を示すもので、図７に示す如く、１枚の台紙１は実施例１略同様の前後及び左右の長方形外側面４・５及び６・７と、蓋板１５及び底板１６と、上下フラップ２５・２６及び２７・２８とを有し、左外側面６の右側縁に折り目１１を介し巾広の貼付片１２を連設させ、前外側面４の上下側縁に切り目２９及び折り目３７を介し内蓋板３８及び内底板３９を連設させ、上フラップ２５・２７の一方の上側縁に突出係合部４０を、また他方に該係合部４０を係止させる切溝４１をそれぞれ形成させる。
【００２７】
そして、図６に示す如き、貼付片１２の外面を前外側面４の内面に貼着させる紙箱２の組立て時にあっては、前外側面４に形成する前記挿入孔３３を貼付片１２の密着によって閉塞させるもので、同図仮想線で示す挿入孔３３周囲の貼付片１２の一定密着部分Ａを非貼着とさせて、挿入孔３３に対する指先の挿入や摘片部３２の摘まみ上げを容易とさせるように構成している。
【００２８】
また図８に示す如く、切り目２９よりの開封片３０の切り離し時にあっては、内蓋板３８と一体に前外側面４より開封片３０を切り離し状態とさせて、接着テープを介し内蓋板３８及び開封片３０を蓋板１５に連結させ、内蓋板３８の不要時などには蓋板１５から内蓋板３８及び開封片３０を取り除き、この取出し部の密封を必要とするときには蓋板１５の上側にフラップ２５・２７を折り重ね、係合部４０と切溝４１との係合でフラップ２５・２７を蓋部材に用いた取出部の閉保持を可能とさせる。
【００２９】
上記からも明らかなように、紙箱２の外側面４〜７を固着させる貼付片１２で紙箱２の組立時に挿入孔３３を閉塞させたもので、別途部材を用いることなく外側面６の貼付片１２の利用によって挿入孔３３を塞いで、衛生良好な商品である容器３の紙箱２内の収納と容器３の容易な紙箱２よりの取出しを可能とさせることができる。
【実施例３】
【００３０】
図９乃至図１２に示すものは、前外側面４の上側縁に連設させる折返し片４２によって挿入孔３３を閉塞する構成を示すもので、実施例１と同様の台紙１において、前外側面４の上側壁に折り目４３を介し一定高さ巾の折返し片４２を連設させ、前外側面４の開封片３０より外側の折返し片４２に半円形の切欠孔４４を開設させ、紙箱２の組立時には折返し片４２を前外側面４の内面に二つ折状に重合させて挿入孔３３を折返し片４２で塞ぎ、蓋板１５で紙箱２の取出し部を閉封する際には図１２に示す如く蓋板１５の差込み片１９を折返し片４２の内側に差入れる状態とさせて前外側面４と蓋板１５とを接着テープ３４で固定させると共に、図９に示す如く蓋板１５開放時には開封片３０を切り目２９より切り離し、切り離し穴３２ａ及び切欠孔４４を介して指先を紙箱２内に挿入し差込み片１９を持上げ操作させて、蓋板１５を開放するように構成している。
【００３１】
上記からも明らかなように、開封片３０を有する外側面４の折返し片４２で紙箱２の組立時に挿入孔３３を閉塞させたもので、別途部材を用いることなく外側面４の折返し片４２の利用によって挿入孔３３を塞いで、衛生良好な商品である容器３の紙箱２内の収納と容器３の容易な紙箱２より取出しを可能とさせることができる。
【実施例４】
【００３２】
図１３乃至図１６に示すものは、開封片３０に指先の挿入する三日月形の挿入孔３３ａを開設させるもので、実施例１の紙箱２構成において、切り目２９より外側に形成する挿入孔３３を無くして、切り目２９より内側で開封片３０の下側縁略中央に挿入孔３３ａを形成させ、実施例１同様紙箱２の組立時にあっては前外側面４内側に差込む差込み片１９で挿入孔３３ａを塞いで、蓋板１５と開封片３０とを接着テープ３４によって固着させ、紙箱２内に容器３を略密封収納させるように構成している。
【００３３】
そして紙箱２内より容器３の取出し時にあっては、図１５（２）に示す如く、前記挿入孔３３ａより指先を挿入して開封片３０の下側縁部３０ａを切り目２９より切り離して起立させ、この下側縁部３０ａを引上げて開封片３０を引剥すことによって、開封片３０と一体に蓋板１５を開放させて容器３の容易な取出しを可能とさせる。
【００３４】
そしてこの場合、実施例１に比べ切り目２９より外側の挿入孔３３の形成がないため、開封片３０を引剥した後に前外側面４に形成される開封片３０の切り離し穴４５を挿入孔３３のない簡潔な逆台形に形成させて、開封片３０引剥し後の紙箱２の美感を良好とさせると共に、切り離し穴４５の開口面積を最大限に小とさせて塵埃などの侵入を防いで容器３の保管及び取出しの両面での向上を図るものである。
【００３５】
上記からも明らかなように、切り目２９より内側の開封片３０に指先の挿入する挿入孔３３ａを設けたもので、開封片３０を切り離した後の紙箱２の切り離し穴４５の開口面積もできるだけ小さな簡潔形状とさせて、開封片３０切り離し後の紙箱２の美感を良好とさせ、紙箱２内に塵埃など侵入するのを最小に防いだ商品の良好な保管を行うと共に、紙箱２から商品を容易且つ迅速に取出し可能とさせて、商品の保管及び取出しの両面での向上を図ることができるものである。
【図面の簡単な説明】
【００３６】
【図１】紙箱の斜視説明図。
【図２】紙箱の展開説明図。
【図３】蓋板の開放状態を示す説明図。
【図４】挿入孔の説明図。
【図５】開封片の切り目の説明図。
【図６】貼付片で挿入孔を閉塞する紙箱の説明図。
【図７】貼付片で挿入孔を閉塞する紙箱の展開説明図。
【図８】貼付片で挿入孔を閉塞する紙箱の取出部の説明図。
【図９】折返し片で挿入孔を閉塞する紙箱の斜視説明図。
【図１０】折返し片で挿入孔を閉塞する紙箱の展開説明図。
【図１１】折返し片で挿入孔を閉塞する紙箱の開封片部の説明図。
【図１２】折返し片で挿入孔を閉塞する紙箱の蓋板部の断面説明図。
【図１３】開封片に挿入孔を形成する紙箱の斜視説明図。
【図１４】開封片に挿入孔を形成する紙箱の展開説明図。
【図１５】開封片に挿入孔を形成する紙箱の蓋板の開放状態を示す説明図。
【図１６】開封片に挿入孔を形成する紙箱の開放状態を示す説明図。
【符号の説明】
【００３７】
２      紙箱
４・５・６・７    外側面
１２    貼付片（形成部材）
１５    蓋板
１９    差込み片（形成部材）
２９    切り目
３０    開封片
３３・３３ａ    挿入孔
４２    折返し片（形成部材）
【図１】
2005096856.tif 000003
【図２】
2005096856.tif 000004
【図３】
2005096856.tif 000005
【図４】
2005096856.tif 000006
【図５】
2005096856.tif 000007
【図６】
2005096856.tif 000008
【図７】
2005096856.tif 000009
【図８】
2005096856.tif 000010
【図９】
2005096856.tif 000011
【図１０】
2005096856.tif 000012
【図１１】
2005096856.tif 000013
【図１２】
2005096856.tif 000014
【図１３】
2005096856.tif 000015
【図１４】
2005096856.tif 000016
【図１５】
2005096856.tif 000017
【図１６】
2005096856.tif 000018